(57)【要約】【課題】  特定の話し手の音声を選択的に記録できるとともに、話し手ごとに音声をテキスト化して記録できる記録装置及び音声記録プログラムを提供する。【解決手段】  声紋データベース５６は、話し手の声紋を登録する機能部である。声紋判定部５８は、マイク１８から入力された音声が予め声紋データベース５６に登録された声紋と合致するか判定する機能部である。音声フィルタリング部６０は、マイク１８から入力された音声をフィルタリングして、声紋データベース５６に登録された声紋と合致する音声を抽出する機能部である。音声／テキスト変換部６２は、音声フィルタリング部６０によって抽出された音声の音声認識処理を行ってテキストデータに変換する機能部である。音声／テキスト変換部６２によって生成されたテキストデータは記録メディア２８に記録される。また、話し手が複数の場合には、音声／テキスト変換部６２は、テキストと話し手の対応が視覚的に判別できるようなレイアウトを行う。【選択図】      図２
2006189626.tif 000002
【特許請求の範囲】
【請求項１】
話し手の音声を入力するための音声入力手段と、
前記話し手の声紋を登録する声紋登録手段と、
前記音声入力手段によって入力された音声をフィルタリングして、前記声紋登録手段に登録された声紋に対応する音声を抽出する音声抽出手段と、
前記抽出された音声を記録する記録手段と、
を備えることを特徴とする記録装置。
【請求項２】
前記声紋登録手段には、複数の話し手の声紋と前記話し手を識別する話し手識別情報とが関連付けられて登録されており、
前記記録手段は、前記話し手ごとに抽出された音声を区別可能に記録することを特徴とする請求項１記載の記録装置。
【請求項３】
前記話し手識別情報を選択して前記音声抽出手段によって抽出する話し手の音声を指定する抽出音声指定手段を更に備えることを特徴とする請求項２記載の記録装置。
【請求項４】
話し手の音声を入力するための音声入力手段と、
前記入力された音声に基づいて、前記音声を発した話し手がいる方向を算出する話し手方向算出手段と、
前記話し手の方向と音声とを関連付けて記録する記録手段と、
を備えることを特徴とする記録装置。
【請求項５】
前記音声入力手段は、複数のマイクからなり、
前記話し手方向算出手段は、前記複数のマイクから入力された音声の音量の差に基づいて前記話し手がいる方向を算出することを特徴とする請求項４記載の記録装置。
【請求項６】
前記入力された音声からテキストデータに変換するテキストデータ生成手段と、
前記テキストデータを記録するテキスト記録手段とを更に備え、
前記テキストデータ生成手段は、複数の話し手の音声が入力された場合に、前記話し手ごとに前記テキストデータを生成することを特徴とする請求項１から５のいずれか１項記載の記録装置。
【請求項７】
前記テキストデータを出力する出力手段を更に備えることを特徴とする請求項６記載の記録装置。
【請求項８】
前記出力手段は、前記テキストデータの文字のフォント、フォントサイズ、色、背景色、文字装飾、又は段組のうち少なくとも１つにより前記話し手が区別可能となるように前記テキストデータを出力することを特徴とする請求項７記載の記録装置。
【請求項９】
前記出力手段は、前記テキストデータをプリントするプリンタであることを特徴とする請求項７又は８記載の記録装置。
【請求項１０】
前記テキストデータを編集するためのテキスト編集手段を更に備えることを特徴とする請求項６から９のいずれか１項記載の記録装置。
【請求項１１】
話し手の音声を入力する音声入力機能と、
前記話し手の声紋を登録する声紋登録機能と、
前記入力された音声をフィルタリングして、前記登録された声紋に対応する音声を抽出する音声抽出機能と、
前記抽出された音声を記録する記録機能と、
をコンピュータに実現させることを特徴とする音声記録プログラム。
【請求項１２】
話し手の音声を入力する音声入力機能と、
前記入力された音声に基づいて、前記音声を発した話し手がいる方向を算出する話し手方向算出機能と、
前記話し手の方向と音声とを関連付けて記録する記録機能と、
をコンピュータに実現させることを特徴とする音声記録プログラム。
【発明の詳細な説明】
【技術分野】
【０００１】
本発明は記録装置及び音声記録プログラムに係り、特に音声をデジタル化して記録する記録装置及び音声記録プログラムに関する。
【背景技術】
【０００２】
従来、マイク等により入力された音声を文字化して出力する技術が開発されている。例えば、特許文献１には、会話や質疑応答のやり取りを証拠データとなるように文字として保管し、プリントするプリントサービスシステムについて開示されている。
【特許文献１】特開２００３−１７８１５８号公報
【発明の開示】
【発明が解決しようとする課題】
【０００３】
しかしながら、上記のように音声を文字化して出力する場合には、マイクから入力された主要な話し手以外の人の声や周囲の雑音等が文字化されてしまったり、文字化が正確に行えなくなるなどの悪影響を及ぼすことがあった。また、上記の特許文献１においては、音声や文字を話し手ごとに分別する手段が明確に開示されていなかった。
【０００４】
本発明はこのような事情に鑑みてなされたもので、特定の話し手の音声を選択的に記録できるとともに、話し手ごとに音声をテキスト化して記録できる記録装置及び音声記録プログラムを提供することを目的とする。
【課題を解決するための手段】
【０００５】
上記目的を達成するために請求項１に係る記録装置は、話し手の音声を入力するための音声入力手段と、前記話し手の声紋を登録する声紋登録手段と、前記音声入力手段によって入力された音声をフィルタリングして、前記声紋登録手段に登録された声紋に対応する音声を抽出する音声抽出手段と、前記抽出された音声を記録する記録手段とを備えることを特徴とする。
【０００６】
請求項１に係る記録装置によれば、録音したい話し手以外の人の声やノイズをフィルタリングして声紋を登録済みの話し手の音声のみを記録することができる。
【０００７】
請求項２に係る記録装置は、請求項１において、前記声紋登録手段には、複数の話し手の声紋と前記話し手を識別する話し手識別情報とが関連付けられて登録されており、前記記録手段は、前記話し手ごとに抽出された音声を区別可能に記録することを特徴とする。請求項２に係る記録装置によれば、音声を話し手別に（例えば、話し手ごとの音声ファイルに）記録することができる。
【０００８】
請求項３に係る記録装置は、請求項２において、前記話し手識別情報を選択して前記音声抽出手段によって抽出する話し手の音声を指定する抽出音声指定手段を更に備える。請求項３に係る記録装置によれば、記録する話し手の音声を選択することができる。
【０００９】
請求項４に係る記録装置は、話し手の音声を入力するための音声入力手段と、前記入力された音声に基づいて、前記音声を発した話し手がいる方向を算出する話し手方向算出手段と、前記話し手の方向と音声とを関連付けて記録する記録手段とを備えることを特徴とする。
【００１０】
請求項４に係る記録装置によれば、音声とともに話し手がいる方向を記録することにより、話し手ごとに音声を記録することができる。
【００１１】
請求項５に係る記録装置は、請求項４において、前記音声入力手段は、複数のマイクからなり、前記話し手方向算出手段は、前記複数のマイクから入力された音声の音量の差に基づいて前記話し手がいる方向を算出することを特徴とする。請求項５は、話し手方向算出手段を複数のマイクに限定したものである。
【００１２】
請求項６に係る記録装置は、請求項１から５において、前記入力された音声からテキストデータに変換するテキストデータ生成手段と、前記テキストデータを記録するテキスト記録手段とを更に備え、前記テキストデータ生成手段は、複数の話し手の音声が入力された場合に、前記話し手ごとに前記テキストデータを生成することを特徴とする。
【００１３】
請求項６に係る記録装置によれば、音声をテキストデータとして記録できる。また、生成されたテキストデータに話し手の識別情報（例えば、話し手の名前等）を付したり、話し手ごとにテキストを分けることにより、テキストデータを参照すれば誰の発言かを認識することができる。
【００１４】
請求項７に係る記録装置は、請求項６において、前記テキストデータを出力する出力手段を更に備えることを特徴とする。請求項７に係る記録装置は、テキストデータをプリント又は表示する出力手段を備えたものである。
【００１５】
請求項８に係る記録装置は、請求項７において、前記出力手段は、前記テキストデータの文字のフォント、フォントサイズ、色、背景色、文字装飾、又は段組のうち少なくとも１つにより前記話し手が区別可能となるように前記テキストデータを出力することを特徴とする。
【００１６】
請求項８に係る記録装置によれば、出力されたテキストデータから誰の発言かを認識しやすくなる。
【００１７】
請求項９に係る記録装置は、請求項７又は８において、前記出力手段は、前記テキストデータをプリントするプリンタであることを特徴とする。請求項９は、請求項７及び８の出力手段をプリンタに限定したものである。
【００１８】
請求項１０に係る記録装置は、請求項６から９において、前記テキストデータを編集するためのテキスト編集手段を更に備えることを特徴とする。
【００１９】
請求項１０に係る記録装置によれば、音声の誤認識等によりテキストに間違いがある場合等に、テキストデータを編集することができる。
【００２０】
請求項１１に係る音声記録プログラムは、話し手の音声を入力する音声入力機能と、前記話し手の声紋を登録する声紋登録機能と、前記入力された音声をフィルタリングして、前記登録された声紋に対応する音声を抽出する音声抽出機能と、前記抽出された音声を記録する記録機能とをコンピュータに実現させることを特徴とする。
【００２１】
また、請求項１２に係る音声記録プログラムは、話し手の音声を入力する音声入力機能と、前記入力された音声に基づいて、前記音声を発した話し手がいる方向を算出する話し手方向算出機能と、前記話し手の方向と音声とを関連付けて記録する記録機能とをコンピュータに実現させることを特徴とする。
【発明の効果】
【００２２】
本発明によれば、特定の話し手の音声を選択的に記録できるので、主要な話し手以外の人の声や周囲の雑音等がテキスト化されたり、テキスト化が不正確になったりするのを防ぐことができる。また、声紋判定や話し手がいる方向により話し手ごとに音声を記録できる。
【発明を実施するための最良の形態】
【００２３】
以下、添付図面に従って本発明に係る記録装置及び音声記録プログラムの好ましい実施の形態について説明する。図１は、本発明の一実施形態に係る記録装置を示す外観図である。同図に示す記録装置１０は、テンキーを含む各種スイッチ群１２、モニタ（ＬＣＤモニタ）１４、及び携帯電話の基地局との通信用のアンテナ１６を備えており、携帯電話を兼ねている。
【００２４】
図１に示すように、記録装置１０の左右の側面には、音声の録音や通話を行うためのマイク１８（左マイク１８Ｌ及び右マイク１８Ｒ）がそれぞれ配設されている。また、記録装置１０の正面の下部には、マイク１８によって録音された音声の再生や通話を行うためのスピーカ２０が配設されている。
【００２５】
記録装置１０の上部の符号２２は、録音の開始・終了を制御する録音スイッチである。録音スイッチ２２が押し下げられると音声の録音が開始され、録音中に録音スイッチ２２が押し下げられると録音が終了する。
【００２６】
また、記録装置１０の右側面の符号２４は、録音モードの設定を行うためのモード設定スイッチである。モード設定スイッチ２４は、スライドスイッチであり、ツマミを図の上方向に移動させると、テキスト記録モード、両方モード、音声記録モード、及び声紋登録モードに順番に設定される。モード設定スイッチ２４によって選択されたモード等はモニタ１４に表示される。なお、各モードの詳細については後述する。
【００２７】
記録装置１０の左側面の符号２６は、記録メディア２８を挿入するための外部メモリスロットである。また、符号３０は、記録メディア２８を外部メモリスロット２６から取り出すためのエジェクトピンである。
【００２８】
また、記録装置１０の下面には、外部機器（例えば、パソコンやプリンタ等）を接続するための外部機器接続インターフェース（外部機器接続Ｉ／Ｆ）３２が配設されている。
【００２９】
図２は、本発明の第１の実施形態に係る記録装置の主要構成を示すブロック図である。図２に示す操作部４０は、各種スイッチ群１２、録音スイッチ２２、モード設定スイッチ２４等を含む操作入力部である。ＣＰＵ４２は操作部４０からの操作入力等に基づいて、記録装置１０内の各ブロックを制御する統括制御部である。メモリ４４は、ＣＰＵ４２が処理するプログラム及び制御に必要な各種データ等が格納するＲＯＭや、ＣＰＵ４２が各種の演算処理等を行う作業用領域となるＲＡＭを含んでいる。このメモリ４４は、メモリコントローラ４６を介してデータバス４８に接続されている。
【００３０】
図２に示すように、既述のモニタ１４、マイク１８（１８Ｌ及び１８Ｒ）、スピーカ２０はそれぞれモニタドライバ５０、Ａ／Ｄ変換器５２（５２Ｌ及び５２Ｒ）、Ｄ／Ａ変換器５４を介してデータバス４８に接続されている。
【００３１】
さらに、記録装置１０は、声紋データベース５６と、声紋判定部５８と、音声フィルタリング部６０と、音声／テキスト変換部６２と、テキスト編集部６４と、プリンタドライバ６６とを備える。
【００３２】
声紋データベース５６は、話し手の声紋を登録する機能部である。声紋判定部５８は、マイク１８から入力された音声が予め声紋データベース５６に登録された声紋と合致するか判定する機能部である。音声フィルタリング部６０は、マイク１８から入力された音声をフィルタリングして、声紋データベース５６に登録された声紋と合致する音声を抽出する機能部である。
【００３３】
音声／テキスト変換部６２は、音声フィルタリング部６０によって抽出された音声の音声認識処理を行ってテキストデータに変換する機能部である。音声／テキスト変換部６２によって生成されたテキストデータは記録メディア２８に記録される。また、話し手が複数の場合には、音声／テキスト変換部６２は、テキストのフォント、フォントサイズ、色、背景色、又は文字装飾（例えば、アンダーラインや太字、斜体文字、網かけ、蛍光ペン、囲み文字、文字の回転、影付き文字、白抜き文字等）、段組等を施すことにより、テキストと話し手の対応が視覚的に判別できるようなレイアウトを行う。
【００３４】
テキスト編集部６４は、音声／テキスト変換部６２によって生成されたテキストデータを編集するための機能部であり、外部機器接続Ｉ／Ｆ３２を介して接続されたパソコンやキーボード、モニタ等のハードウェアからの入力に基づいてテキストデータを編集するためのエディタを含んでいる。また、上記のような外部機器のほか、モニタ１４や各種スイッチ群１２を操作してテキストデータを編集することもできる。
【００３５】
プリンタドライバ６６は、外部機器接続Ｉ／Ｆ３２を介して記録装置１０に接続されたプリンタ６８を駆動する機能部である。上記の音声／テキスト変換部６２によって生成されたテキストデータは、プリンタ６８によってプリントできるようになっている。
【００３６】
次に、記録装置１０に声紋を登録する方法について説明する。図３は、声紋の登録方法を示すフローチャートである。
【００３７】
まず、モード設定スイッチ２４のツマミが声紋登録モードにスライドされると、ＣＰＵ４２によって声紋登録モードに設定されたことが検知される（ステップＳ１０）。次に、録音スイッチ２２が押し下げられたことがＣＰＵ４２によって検知されると（ステップＳ１２）、マイク１８によって音声が入力されて録音が開始される（ステップＳ１４）。ステップＳ１４においては、例えば、声紋認識用の所定の単語や文章等が話し手によって読み上げられて録音される。そして、録音スイッチ２２が押し下げられたことがＣＰＵ４２によって検知されると（ステップＳ１６）、録音が終了する（ステップＳ１８）。
【００３８】
次に、上記のステップにおいて録音された音声が再生され、録音をやり直すか、再生された音声を登録するかを選択する選択画面が表示される（ステップＳ２０）。ステップＳ２０において、話し手が再生された音声を気に入らない場合等、選択画面で録音のやり直しが選択されると、この選択画面の操作がＣＰＵ４２によって検知されてステップＳ１２に戻る。一方、ステップＳ２０において、再生された音声を登録することが選択された場合には、声紋判定部５８によって録音された音声の声紋が分析される（ステップＳ２２）。そして、声紋登録者名の入力画面が表示されて、入力された声紋登録者名がＣＰＵ４２によって認識され（ステップＳ２４）、声紋データベース５６に声紋が声紋登録者名と関連付けられて登録される（ステップＳ２６）。
【００３９】
次に、音声の記録方法について説明する。図４及び図５は、本発明の第１の実施形態に係る音声記録方法を示すフローチャートである。
【００４０】
まず、録音スイッチ２２が押し下げられたことがＣＰＵ４２によって検知されると（ステップＳ３０）、次いでＣＰＵ４２によってモード設定スイッチ２４のツマミの位置が検知されて、どのモードに設定されているかが認識される（ステップＳ３２）。
【００４１】
ステップＳ３２において音声記録モードに設定されている場合には、次いでステップＳ３４に進み、マイク１８により音声入力が開始される。次に、マイク１８から取り込まれた音声が声紋判定部５８によって解析されて、声紋データベース５６に登録された声紋と照合される。そして、取り込まれた音声から声紋データベース５６に登録済みの音声が音声フィルタリング部６０によって抽出され（ステップＳ３６）、抽出された音声が録音される（ステップＳ３８）。
【００４２】
図６は、音声の解析の例を模式的に示す図である。図６に示すように、マイク１８から取り込まれた音声は、声紋判定部５８によって解析されて、声紋登録者の音声のみが抽出される。
【００４３】
なお、本実施形態においては、ステップＳ３４の音声入力の開始時に各話し手が所定のパスワード（例えば、名前等）を話すことにより、このパスワードに対応する話し手の音声の認識が開始されるようにしてもよい。
【００４４】
図４のフローチャートの説明に戻ると、次いでステップＳ４０に進み、録音スイッチ２２の押し下げが検知されると、音声入力が終了し（ステップＳ４２）、録音された音声データが記録メディア２８に保存される（ステップＳ４４）。ステップＳ４４においては、声紋登録者名と音声データが関連付けられて（例えば、声紋登録者ごとに別の音声ファイルに）保存される。
【００４５】
一方、ステップＳ３２においてテキスト記録モードに設定されている場合には、次いでステップＳ４６に進み、マイク１８により音声入力が開始される。次いで、マイク１８から取り込まれた音声から声紋データベース５６に登録済みの音声が音声フィルタリング部６０によって抽出され（ステップＳ４８）、抽出された音声が音声／テキスト変換部６２によってテキストデータに変換される（ステップＳ５０）。そして、録音スイッチ２２の押し下げが検知されると（ステップＳ５２）、音声入力が終了する（ステップＳ５４）。
【００４６】
その次に、抽出された音声のテキストデータへの変換が終了すると（ステップＳ５６）、モニタ１４、又は外部機器接続Ｉ／Ｆ３２を介して接続されたパソコンやモニタ等にテキストデータが表示され、テキストデータを確認するかどうかの確認画面が表示される（ステップＳ５８）。ステップＳ５８においてテキストデータの編集が選択された場合には、外部機器接続Ｉ／Ｆ３２を介して接続されたパソコンやキーボード、又は各種スイッチ群１２等によりテキストデータの編集が行われ（ステップＳ６０）、音声データ及びテキストデータが記録メディア２８に保存される（ステップＳ６２）。一方、ステップＳ５８においてテキストデータの保存が選択された場合には、テキストデータはそのまま記録メディア２８に保存される（ステップＳ６２）。
【００４７】
また、ステップＳ３２において両方モードに設定されている場合には、次いで図５のステップＳ６４に進み、音声入力が開始される。マイク１８から取り込まれた音声から声紋データベース５６に登録済みの音声が音声フィルタリング部６０によって抽出され（ステップＳ６６）、抽出された音声が録音されるとともに（ステップＳ６８）、抽出された音声が音声／テキスト変換部６２によってテキストデータに変換される（ステップＳ７０）。そして、録音スイッチ２２の押し下げが検知されると（ステップＳ７２）、音声入力が終了する（ステップＳ７４）。
【００４８】
その次に、抽出された音声のテキストデータへの変換が終了すると（ステップＳ７６）、モニタ１４等にテキストデータが表示され、テキストデータを確認するかどうかの確認画面が表示される（ステップＳ７８）。ステップＳ７８においてテキストデータの編集が選択された場合には、テキストデータの編集が行われ（ステップＳ８０）、音声データ及びテキストデータが記録メディア２８に保存される（ステップＳ８２）。一方、ステップＳ７８においてテキストデータの保存が選択された場合には、テキストデータはそのまま記録メディア２８に保存される（ステップＳ８２）。
【００４９】
図７は本実施形態の記録装置により音声を記録する例を模式的に示す図であり、図８及び図９はテキストデータの例を示す図である。図７に示す例では、記録装置１０の声紋データベース５６にＡさん、Ｂさん、Ｃさんの３人の声紋が登録されており、記録装置１０はこの３人の音声を選択的に記録する。
【００５０】
図８に示す例では、テキストが声紋登録者名とともに時系列で（発言順に）並べられており、各話し手の音声が異なるフォントで記録される。この例では、Ａさんがゴシック体、Ｂさんが丸ゴシック体、Ｃさんが教科書体である。また、話し手ごとに行頭位置が変えられており、声の大きさに応じてフォントサイズが異なっている。また、図９に示す例では、話し手ごとにテキストの欄が分けられている。
【００５１】
本実施形態によれば、特定の話し手の音声を選択的に記録できる。これにより、マイク１８から入力された主要な話し手以外の人の声や周囲の雑音等がテキスト化されたり、テキスト化が不正確になったりするのを防ぐことができる。また、声紋判定により話し手ごとに音声を記録できる。
【００５２】
なお、本実施形態においては、声紋データベース５６に登録された声紋登録者名を指定することにより、特定の話し手の音声だけを選択的に記録することができる。
【００５３】
次に、本発明の第２の実施形態について説明する。図１０は、本発明の第２の実施形態に係る記録装置を示すブロック図である。なお、以下の説明において、上述の実施形態と同様の構成については同一の符号を付して説明を省略する。
【００５４】
本実施形態の記録装置１０は、話し手方向算出部７０を備える。話し手方向算出部７０は、左右のマイク１８から取り込まれた同一の音声の音量の違いに基づいて話し手の相対的な位置を算出する機能部である。本実施形態においては、話し手方向算出部７０によって算出された話し手の位置から話し手ごとに音声を記録する。
【００５５】
次に、本実施形態の音声の記録方法について説明する。図１１及び図１２は、本発明の第２の実施形態に係る音声記録方法を示すフローチャートである。
【００５６】
まず、録音スイッチ２２が押し下げられたことがＣＰＵ４２によって検知されると（ステップＳ９０）、次いでＣＰＵ４２によってモード設定スイッチ２４のツマミの位置が検知されて、どのモードに設定されているかが認識される（ステップＳ９２）。
【００５７】
ステップＳ９２において音声記録モードに設定されている場合には、次いでステップＳ９４に進み、マイク１８により音声入力が開始され、話し手方向算出部７０によって各話し手がいる方向が算出される（ステップＳ９６）。そして、録音スイッチ２２の押し下げが検知されると（ステップＳ９８）、音声入力が終了し（ステップＳ１００）、録音された音声データが記録メディア２８に保存される（ステップＳ１０２）。ステップＳ１０２においては、話し手がいる方向と音声データが関連付けられて（例えば、方向ごとに別の音声ファイルに）保存される。
【００５８】
一方、ステップＳ９２においてテキスト記録モードに設定されている場合には、次いでステップＳ１０４に進み、マイク１８により音声入力が開始される。次いで、マイク１８から取り込まれた音声が音声／テキスト変換部６２によってテキストデータに変換されるとともに（ステップＳ１０６）、話し手方向算出部７０によって各話し手がいる方向が算出される（ステップＳ１０８）。そして、録音スイッチ２２の押し下げが検知されると（ステップＳ１１０）、音声入力が終了する（ステップＳ１１２）。
【００５９】
その次に、音声のテキストデータへの変換が終了すると（ステップＳ１１４）、モニタ１４等にテキストデータが表示され、テキストデータを編集するかどうかの確認画面が表示される（ステップＳ１１６）。ステップＳ１１６においてテキストデータの編集が選択された場合には、テキストデータの編集が行われ（ステップＳ１１８）、音声データ及びテキストデータが記録メディア２８に保存される（ステップＳ１２０）。一方、ステップＳ１１６においてテキストデータの保存が選択された場合には、テキストデータはそのまま記録メディア２８に保存される（ステップＳ１２０）。
【００６０】
また、ステップＳ９２において両方モードに設定されている場合には、次いで図１２のステップＳ１２２に進む。なお、ステップＳ１２４からＳ１３２については、上記のステップＳ１０６からＳ１１４と同様であるため説明を省略する。そして、ステップＳ１３４において、音声のテキストへの変換が終了すると、モニタ１４等にテキストデータが表示され、テキストデータを編集するかどうかの確認画面が表示される。ステップＳ１３４においてテキストデータの編集が選択された場合には、テキストデータの編集が行われ（ステップＳ１３６）、音声データ及びテキストデータが記録メディア２８に保存される（ステップＳ１３８）。一方、ステップＳ１３４においてテキストデータの保存が選択された場合には、テキストデータはそのまま記録メディア２８に保存される（ステップＳ１３８）。
【００６１】
本実施形態によれば、上記の実施形態と同様に、話し手ごとに音声をテキスト化して記録できる。なお、本実施形態においては、２つのマイク（左マイク１８Ｌ及び右マイク１８Ｒ）によって話し手の位置を算出するようにしたが、マイクの数はこれに限定されるものではない。
【図面の簡単な説明】
【００６２】
【図１】本発明の一実施形態に係る記録装置を示す外観図
【図２】本発明の第１の実施形態に係る記録装置の主要構成を示すブロック図
【図３】声紋の登録方法を示すフローチャート
【図４】本発明の第１の実施形態に係る音声記録方法を示すフローチャート
【図５】本発明の第１の実施形態に係る音声記録方法を示すフローチャート（図４の続き）
【図６】音声の解析の例を模式的に示す図
【図７】本実施形態の記録装置により音声を記録する例を模式的に示す図
【図８】テキストデータの例を示す図
【図９】テキストデータの例を示す図
【図１０】本発明の第２の実施形態に係る記録装置を示すブロック図
【図１１】本発明の第２の実施形態に係る音声記録方法を示すフローチャート
【図１２】本発明の第２の実施形態に係る音声記録方法を示すフローチャート（図１１の続き）
【符号の説明】
【００６３】
１０…記録装置、１２…各種スイッチ群、１４…モニタ、１６…アンテナ、１８…マイク（左マイク１８Ｌ及び右マイク１８Ｒ）、２０…スピーカ、２２…録音スイッチ、２４…モード設定スイッチ、２６…外部メモリスロット、２８…記録メディア、３０…エジェクトピン、３２…外部機器接続インターフェース、４０…操作部、４２…ＣＰＵ、４４…メモリ、４６…メモリコントローラ、４８…データバス、５０…モニタドライバ、５２…Ａ／Ｄ変換器、５４…Ｄ／Ａ変換器、５６…声紋データベース、５８…声紋判定部、６０…音声フィルタリング部、６２…音声／テキスト変換部、６４…テキスト編集部、６６…プリンタドライバ、６８…プリンタ、７０…話し手方向算出部
【図１】
2006189626.tif 000003
【図２】
2006189626.tif 000004
【図３】
2006189626.tif 000005
【図４】
2006189626.tif 000006
【図５】
2006189626.tif 000007
【図６】
2006189626.tif 000008
【図７】
2006189626.tif 000009
【図８】
2006189626.tif 000010
【図９】
2006189626.tif 000011
【図１０】
2006189626.tif 000012
【図１１】
2006189626.tif 000013
【図１２】
2006189626.tif 000014